(57)【要約】      （修正有）【課題】近時世界各国、我国において発生し、多くの報道機関により報道され恐怖の問題となっているが、未だに安全な対策のないトリインフルエンザ被害を、副作用なく、安全に予防することのできる、トリインフルエンザ菌類の瞬間撲滅電子装置を提供する。【解決手段】比較的低電圧を使用電圧に含む電子放電器と、正帯電加熱防火型の急速電子殺菌器を開発し、ファンデルワ−ルスの原理、分極の原理による、電界急速滅菌を可能とし、課題を解決した。本装置によれば目的鶏舎空間のトリインフルエンザ菌を、副作用なく瞬間的に全滅させることができる。【選択図】図２
0003124327.tif 000002
【実用新案登録請求の範囲】
【請求項１】
大気中の目的空間の１偶に設け、パルスを含む直流又は交流の電源による、比較的低電圧の範囲を含む３２０〜５０００Ｖの電圧を使用するものであつて、イオンと電子を発生させる放電機構と、前記目的空間の他偶に設け、１００〜５００℃の範囲に温度制御加熱され、断熱防火手段を具備し、同時に直流電圧により正に帯電させた電気導体であり前記電子放電機構との間に電界を形成する正帯電加熱防火機構を設け、更に該電界により発生する電子載荷微粒子の流れの先に、必要により、負圧をかけ、該流れを加速させる機構とを設けたことを特徴とするトリインフルエンザ菌瞬間撲滅電子装置。
【請求項２】
前記イオンと電子を発生させる放電機構が、直流又は交流で１部通電させてある接点を、両電極の磁力の変化とバネ力を利用する変位によりイオンと電子を発生させる機構であり、トリインフルエンザ菌類が付着しかつ負に帯電した該大気中の微塵類ないしは、煙類、水蒸気類の微粒子を急速に空中電界移動させ、１００〜５００℃に加熱され、かつ正に帯電し更にセラミツクス防火部材を具備し、必要ならば、更にその背後に真空機構を設け、電界移動の微粒子を加速して、正帯電加熱電気導体に電気付着させることにより、トリインフルエンザ菌類を即時に全滅させる機構とにより成るものである請求項１に記載のトリインフルエンザ菌瞬間撲滅電子装置。
【請求項３】
前記イオンと電子を発生させる放電機構が、該正負両極を開離させた状態の電極接点とその横方向より、１５０〜３６０ｎｍの範囲の波長の紫外線を放射して、近傍の分子を電離し、そこで発生したイオンと電子及び電子が付着した負イオンが放電電極間に拡散し、電極間の放電の火種となって低電圧で大量放電し、イオンと電子を大量に発生させる機構であり、トリインフルエンザ菌類が付着しかつ負に帯電した該大気中の微塵類ないしは煙類、水蒸気類の微粒子を急速に電界移動させ、１００〜５００℃に加熱されかつ正に帯電し、かつセラミツクス防火部材を具備する正帯電加熱防火電気導体に電気付着させる機構と、必要ならば、更にその背後に真空機構を設け、電界移動の微粒子の速度を加速して、トリインフルエンザ菌類を即時に全滅させる機構とにより成るものである請求項１に記載のトリインフルエンザ菌瞬間撲滅電子装置。
【考案の詳細な説明】
【技術分野】
【０００１】
本考案は、近時世界各国、我国において発生し、多くの報道機関により報道され恐怖の問題となっているが、未だに安全な対策のないトリインフルエンザ被害を、副作用なく、安全に予防することのできる、トリインフルエンザ菌類の瞬間撲滅電子装置についてのものである。
【背景技術】
【０００２】
最近、トリインフルエンザは、東南アジア中国で多く発生し、欧州、我国へも伝染し、全国一の養鶏県の茨城県でも、４８ケ所養鶏場（ＮＨＫ放送）で感染した数百万羽の鶏を処分せざるを得ない大被害があり、養鶏場従業員への感染は４０人（東京新聞０６．１．８）、京都でも２４万羽を処分し、養鶏場の経営者まで犠牲となる不祥事もあった。更に、そのウイルス菌が人型変異をして人間のインフルエンザ菌となり、人間の間に大流行するおそれもあり世界的規模で危惧されている。しかしながら、この対策として従来わかっていることは、タミフルなるスイス製のワクチンがあるだけとのことであり、それも輸入の特許薬品であるから、高価である上、数量が間にあわず、日本国内用としても１５００万人分しか備蓄できないと報道されている。更にその上に、この薬は副作用が特に強く国内だけでも、死者が２０数人に達しているとの報道もある。このように的確な対策が殆ど見つからない状態であるから、各役所としては、兆候が少しでもあれば、届け出の義務を課して、検査して黒に該当すると、またそこで数百万羽の鶏の埋め立て犠牲が出るおそれが、依然として続いている現状である。従って、これは未だに正確安全な対策がないことを証明するものである。
【０００３】
従来技術でトリインフルエンザ予防の特許又は考案の文献は殆ど存在していないが、参考文献としては下記のものがある。
【特許文献１】特願２００１−１０８１３６
【特許文献２】特願２００２−５１０７０８
【非特許文献１】「新型インフルエンザ大流行に備える」  （０６年１月号日経サイエンス）  特願２００１−１０８１３６は、広くインフルエンザの予防薬ワクチンであるタミフルの製造方法の技術文献であり、内容的には化学的薬剤による予防手段である。また、特願２００２−５１０７０８はインフルエンザ菌Ａ及び／又はＢの検出方法についてのものであり、インフルエンザ菌に感染したか否かを検出し確認する検査方法である。
【考案の開示】
【考案が解決しようとする課題】
【０００４】
上記のように、０５年１１月２４日の朝日新聞第１面の記事の通り、副作用が強く欠点があるといわれているワクチンとして唯一のタミフルでも、我国の備蓄は、日本全国民の必要量に対し、備蓄実績は８６０万人のみということである。また、０５年１１月２９日の日本経済新聞の記事によれば、鳥インフルエンザ被害の影響は、ロシア、ドイツ、ル−マニア、トルコ、クロアチアなどに飛び火し、鶏のみならず、アヒル、オウム、ダチョウにも感染が確認され、食肉店の営業にも被害が及んでいるとのことである。我が国においても前記の通り、京都府、茨城県において巨大な被害が発生したが、今だに、これという予防対策が発明考案されていない。而も、上記タミフルといえども、単に人間間の感染を防止しようとするに留まり、渡り鳥と鶏及び鶏間の伝染防止に役立つことはできない。
【０００５】
更に、０６年１月号（０５年１２月発売）の日経サイエンスの記事によれば、国内外で鳥インフルエンザの発生が相次ぎ、ヒトからヒトへ感染する強毒性ビ−ルスが出現し、大流行するのは時間の問題と報道されている。こうなっては最早一刻の猶予もならないところにきている。従って、鳥インフルエンザの被害防止技術が出現しないまま、現状のレベルで推移するならば、新しく出現するヒトからヒトへ感染する強毒性ビ−ルスによって、世界各国で大量多数の被害者が出るおそれがあり、我が国でも、同様の大きな危惧が存在することが明らかであり、副作用のないこの被害防止の新技術の出現が早急に求められているものである。
しかしながら、上記従来技術であるインフルエンザのワクチンの製造方法は間接的なものであり直接のトリインフルエンザ被害防止には効果も間接的で副作用も報道されており欠点がある。更にインフルエンザ菌の検出方法は単にその感染の有無を確認して、役所に届けるだけのものであるから、トリインフルエンザ自体の被害防止に直接有効ではないという問題点があある。
【０００６】
本考案は、上記トリインフルエンザの世界中の恐怖、特に日本国内における該被害を、今後絶無に近く除くため、ここに斬新にして、進歩性も具備する、トリインフルエンザ菌瞬間撲滅電子装置の技術を創始し、社会に提供し、上記養鶏界のみならず、ヒト社会への伝染を防止することを目的課題とするものである。
【課題を解決するための手段】
【０００７】
本考案は、従来、トリインフルエンザ被害防止のうち、単に感染を防止するワクチンしかなく、鶏そのものをこの被害から守る方法も装置もない現状の欠点を改め、鶏舎そのものを、渡り鳥、大陸からの飛来黄砂塵などのより運ばれてくるトリインフルエンザ菌を鶏舎の入り口において、或いは中に入ったところですぐに、電子捕捉し瞬間全滅させ、鶏そのものを先ず罹病から守り、大流行を未然に防止するべく考案された装置であり、その特徴は次の通りである。
【０００８】
本考案の手段の第１の特徴は、大気中の目的空間の１偶に設け、パルスを含む直流又は交流の電源による、比較的低電圧の範囲を含む３２０〜５０００Ｖの電圧を使用するものであつて、イオンと電子を発生させる放電機構と、前記目的空間の他偶に設け、１００〜５００℃の範囲に温度制御加熱され、断熱防火手段を具備し、同時に直流電圧により正に帯電させた電気導体であり前記電子放電機構との間に電界を形成する正帯電加熱防火機構を設け、更に該電界により発生する電子載荷微粒子の流れの先に、必要により、負圧をかけ、該流れを加速させる機構とを設けたトリインフルエンザ菌瞬間撲滅電子装置であることである。
【０００９】
次に本考案の手段の第２の特徴は、前記イオンと電子を発生させる放電機構が、直流又交流で１部通電させてある接点を両電極の磁力の変化とバネ力を利用する変位によりイオンと電子を発生させ、トリインフルエンザ菌類が付着しかつ負に帯電した該大気中の微塵類ないしは、煙類、水蒸気類の微粒子を急速に空中電界移動させ、１００〜５００℃に加熱されかつ正に帯電した加熱導体に電気付着させることにより、トリインフルエンザ菌類を即時に全滅させる機構とにより成るものである請求項１に記載のトリインフルエンザ菌瞬間撲滅電子装置であることである。尚、蒸気加熱体は防火のため、後部を断熱セラミックス版により覆う機構とする。
【００１０】
また本考案の手段の第３の特徴は、前記イオンと電子を発生させる放電機構が、該正負両極を開離させた状態の電極接点とその横方向より、１５０〜３６０ｎｍの範囲の波長の紫外線を放射し、イオンと電子を発生させる機構とより成り、トリインフルエンザ菌類が付着しかつ負に帯電した該大気中の微塵類ないしは煙類、水蒸気類の微粒子を急速に電場移動させ、１００〜５００℃に加熱されかつ正に帯電した導体に電気付着させることにより、トリインフルエンザ菌類を即時に全滅させる機構とより成るものである請求項１に記載のトリインフルエンザ菌瞬間撲滅電子装置であることである。更に、防火機構については前記同様である。
【考案の効果】
【００１１】
１）本考案によれば、装置の放電機構のスイッチをＯＮにすると、イオンと電子が出るが、速度の早い電子が早く放出され、大気中の該目的空間において、微小なる浮遊塵に付着する。一方もしトリインフルエンザ菌類が該空間に存在すると、これは更に超微粒子であるから、必ずファンデルワ−ルスの原理で、相対的に何倍も大きい該粉塵微粒子に付着し載荷する形となる。従って、該微粒子は該菌類を載荷すると共に負に帯電する。従って、正に帯電した格子状ないしは板状導体が近くにあれば、静電理論上それに引きつけられ、該菌は７０℃以上の加熱で死滅するのは公知であるから、粉塵微粒子ないしは煙等、水蒸気等に載荷しているトリインフルエンザ菌類は忽ち全滅するという顕著な効果をもたらす。
２）本考案の正帯電で１００〜５００℃に加熱した導体の裏面は、耐火度約１０００℃の耐熱セラミックス板で囲う機構であるから、火災の恐れはないと云う効果もある。
３）本考案装置は比較的簡素な低電圧範囲を有する放電機構で構成するので、滅菌効果の大なる割りには、安価に製造できるという効果も有する。
４）該トリインフルエンザの対人間の感染を防止しうるというワクチンのタミフルでは人間の間の感染を防止できるのみで、鳥間の感染の防止はできないが、本考案の装置によれば、該菌が大陸から渡ってきた段階で鳥から鶏、風塵から鶏への感染を防止でき、更にヒトからヒトへの感染も防止できるので、本考案装置はトリインフルエンザ感染防止について、タミフルよりも根源的かつ広い効果を期待することができる。
５）本考案装置は弱電機構の組み合わせであるから、電力消費も僅かであり、効果が大きい割合に費用は少なく経済的に、該トリインフルエンザの巨大な弊害を防止することができるという大きな効果も得られる。
【考案を実施するための最良の形態】
【００１２】
発明を実施するための最良の形態として、先ず原理を説明してから本考案の物の組み合わせの最良の形態を説明する。大気中には、人間の目には見えない１／１００ｍｍ以下の微塵が多く浮遊している。而して、ビ−ルス菌は、そのまた１／１０００位の微小なものでああるから、単独では空中をとんで行くことはできず、ファンデルワ−ルスの引力の原理によって、微塵に付着し、それに載荷し空中を浮遊する。而して、このビ−ルス菌が例えば、アジア大陸から季節風に乗って日本列島に飛来するとしても、必ず微塵に載荷したあ形出飛んでくる。また渡り鳥が該微塵をからだにつけてとんでくることもある。従ってそのままでは、当然に日本列島にはトリインフルエンザ菌が生きたまま入ってくることになり、国内はトリインフルエンザ菌に感染することになる。
そこで、本考案では、上記のような、例えば鶏舎の一偶において先ず放電機構により、イオンと電子を発生させるのであるが、この際の使用電圧は、最良の実施形態としては、比較的低電圧を使用する方がより安全であり、製造原価も安い。また他偶に設け電場を形成する正帯電加熱防火機構の制御温度は、滅菌の確実性、安全性かつ経済性から、最良の実施の形態としては、１１０〜１５０℃に制御すれば充分である。トリインフルエンザ菌類は７０℃で全部死滅することが公知であるからである。更に、防火機構としての材料は裏側、左右側は断熱セラミックス板を使用し、正面には正帯電加熱体から数十ｃｍ離して、通常の細い鉄筋格子メッシュを設ければ、容易に実施ができ最良の実施の形態となる。
【産業上の利用可能性】
【００１３】
前述した通り、トリインフルエンザの世界的被害は、本０６年に入ってからも、トリ→ヒト→ヒトの感染のおそれが益々大となっているが、予防方法としては、スイス製ワクチンのタミフルしかなく、それも強い副作用があって、多くの人が亡くなっているが、他に確かな予防策は見当たらず、殆ど世界中がおそれおののいている現状であり、タミフル以外の殺人的副作用がなく、而もタミフルのように高いものではない予防策の出現が待ち望まれている。
本考案は一応この世界的需要に応えるものであり、不衛生なる副作用は一切ない安全なかつ廉価なるウイルス菌を高速で全滅させる装置であるから、本考案のトリインフルエンザ菌瞬間撲滅電子装置を製造販売すれば、非常に多くの需要が出てくる可能性が大である而も、構造はそれ程複雑ではないので、大量生産をすれば安価に製造できるから、需要は莫大となることも予想される。従って、本考案は産業上の利用可能性は極めて大きいといえる。
【実施例１】
【００１４】
図１は本考案のトリインフルエンザ菌瞬間撲滅電子装置のブロック図を示し、図２（ａ）は放電機構の正面説明図、（ｂ）は正帯電加熱防火機構の側面説明図、（ｃ）は正帯電加熱防火機構の側面説明図、（ｃ）は正帯電加熱機構の平面説明図である。図１（ａ）の詳細内容は図２（ａ）に示され、図１（ｂ）の詳細内容は図２（ｂ）に示される。目的空間内の一偶に図１ブロック（ａ）に示す放電機構１を設け、同図ブロック（ｂ）に示す正帯電加熱防火機構２を鶏舎とみなした目的空間として透明プラスチック箱３を設けて入れた。前記放電機構１は図２（ａ）の内容として、ア−スされ、中央に放電発生部４を設けた孔あき平板電極５があり、その上に支持枠６を設け、中央部に針状電極７がある。針状電極７はバネ８の中に投入されて設け、通常はバネの力で針状電極が平板電極の穴の中入っている。スイッチＳ1をＯＮとし電磁石９に電源Ｖ1 の電流を流すと、電磁力が作用し鉄板１０を引きつける。１１は鉄板１０の上下動の幅を制限するストッパ−である。
このとき、針状電極７と平板電極５の穴との部分では外部回路１２につながっているため、スイッチＳ2 を入れておくと電源Ｖ2の電圧がかかっているから、接点が離れる瞬間に接点ア−クが飛び、接点部でア−ク放電が発生する。それが種火となって、電極間はグロ−放電となり、相当量の電子も放出される。イオンも発生するが、電子の方が速度が大である上、対偶に比較的大きい正帯電の導体を設けたことにより、前記の負の電子が電界の理論によって牽引される。一方正荷電のイオンは前記正帯電にしてある該導体に反発して反対側の壁に戻り付着する。而して大気中を飛翔している微塵類、煙、水蒸気の微粒子が１／１００〜１０００の大きさであるに対し、トリインフルエンザウイルス菌はÅ単位のものであるから、ファンデルワ−ルスの原理で該微塵類に必ず付着する。その後において、負の電子が微塵粒子に近づくと、中性である微塵の中に電子現象である分極原理によって、電子が近づいた側に正の荷電を生じ、電子は負荷電であるからそこに付着する。これによって、トリインフルエンザ菌を載荷し、負に荷電した微塵類の粒子が出来、進行方向正帯電の加熱導電防火体に電界付着する。具体的には上記放電機構ブロック図の詳細として図２に沿って説明する。上記で放電され発生した電子１３は、トリインフルエンザ菌１４を載荷している微塵粒１５に電界付着し、上記電界理論によって、更に正帯電加熱導体１６に付着する。図２（ｃ）は前記正帯電加熱導体の平面的説明図であるが、電源１７に接続され、温度制御器１８を介し１５０±１０℃程度に加熱されており、また、負極をア−スＥに接続した電池１９の正極に正帯電加熱導体を接続しておく。実際に該菌と電子を載荷した微粒子の動作を証明するのに、大気中浮遊の線香の煙２０を用いた。放電器１と正帯電加熱防火機構２の間で線香を焚き、煙を出し、装置のスイッチをＯＮにすると、煙は秒速１〜２ｍの速さで忽ち正帯電加熱導体に電界吸着された。更に、負圧器２０のスイッチをＯＮにするとこの粒子の流速は一層速くなり、瞬間的に微粒子付着が行なわれた。
次に装置のスイッチをＯＮにして正帯電させ加熱しておき、通常の電気掃除機で採取した細塵を中目の布袋に入れ、これを叩いて漸く目に見える程度（０．０１〜０．００５ｍｍ）の微塵を該透明プラスチック箱の中に霧のように目的空間；透明プラスチック箱中に浮かしておき、前記放電機構のスイッチをＯＮにした。そうすると、前記放電機構と正帯電熱防火機構との間には電場が形成されているから、また放電されたイオンと電子のうち電子は速度があ非常に速いので、電子が既に細菌が載荷している全微塵類に更に載荷し、微塵粒子は負に帯電するから、見る見るうちに秒速１〜２ｍで正帯電加熱機構の方に飛び付着したので、該透明プラスチック箱の空気は２〜３秒のうちに透明となった。以上により、目的空間の細菌は、本考案の電子装置によって、瞬間的に高温の場所に電界付着され従って、トリインフルエンザ菌も高速で全滅されることがわかった。
ここに図２（ｂ）中の２１は真空機構、２２は防火セラミックス板であり、断熱軽量材であれば益々防火の目的に沿うものである。また、本考案の比較的低電圧の放電機構は全く新規のものであるが、正帯電加熱導体メッシュ及び防火セラミックス板との組み合わせにおいては、放電機構は公知のものでも全体として新規性を保持するものである。
【実施例２】
【００１５】
この実施例は実施例１の放電機構の針状電極７の横方向から、紫外線発生器２３による紫外線２４を照射した場合の例である。実験によれば、紫外線の放射によって、電子の放射がより低電圧で行なわれ、かつ放射量も多くなるので、該菌と電子を載荷した線香の煙が益々高速で正帯電加熱導体１６の方に飛び付着することが目測により確認された。従って、実施例２では、横方向からの紫外線の放射により、トリインフルエンザ菌の加熱殺菌が益々高速になることが証明されたことになった。
【図面の簡単な説明】
【００１６】
【図１】本考案のトリインフルエンザ菌瞬間撲滅電子装置のブロック図。
【図２】（ａ）本考案の放電機構の正面説明図。  （ｂ）正帯電加熱防火機構の側面説明図。  （ｃ）正帯電加熱器の平面説明図。
【図３】（ａ）本考案中放電機構の針状電極の横方向から紫外線を照射した場合の説明図。（ｂ）紫外線照射の場合の正帯電加熱防火機構の側面説明図。
【符号の説明】
【００１７】
１    放電機構のブロック図
２    正帯電加熱防火機構のブロック図
３    目的空間；透明プラスチック箱
４    放電発生部
５    平板電極
６    支持枠
７    針状電極
８    バネ
９    電磁石
１０  鉄板
１１  ストッパ−
１２  外部回路
１３  電子
１４  トリインフルエンザ菌
１５  微塵、煙、水蒸気等の微粒子
１６  正帯電加熱導体
１７  電源
１８  温度制御器
１９  電池
２０  線香の煙
２１  真空機構
２２  防火セラミックス板
２３  紫外線発生器
２４  紫外線
Ｅ    ア−ス
【図１】
0003124327.tif 000003
【図２】
0003124327.tif 000004
【図３】
0003124327.tif 000005